【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
駆動信号を出力するワイヤーユニットと、
前記駆動信号に応答して光を発生するランプユニットと、
前記ランプユニットと前記ワイヤーユニットとを結合する、ホルダー部、及び前記ホルダー部に内蔵され前記ランプユニットと結合される第１締結凹部と前記ワイヤーユニットと結合される第２締結凹部とを含むソケット部で構成されるホルダーユニットと、含み、
前記ランプユニットは、前記ソケット部を通して前記ワイヤーユニットと電気的に接続されることを特徴とするランプアセンブリ。 
【請求項２】
前記ランプユニットは、
前記光を発生するランプ本体と、
前記ランプ本体の端部から引き出された電極と、を含むことを特徴とする請求項１記載のランプアセンブリ。
【請求項３】
前記ホルダー部には前記ランプ本体の端部を収納する第１収納孔が形成され、
前記第１締結凹部は前記第１収納孔に隣接して前記電極と結合されることを特徴とする請求項２記載のランプアセンブリ。
【請求項４】
前記電極には第１キャッチングジョーが形成され、
前記ソケット部は前記第１締結凹部が形成された内側壁から突出し、前記第１キャッチングジョーと噛み合わさって前記電極が前記ソケット部から離脱することを防止するための第１係止突起を含むことを特徴とする請求項３記載のランプアセンブリ。
【請求項５】
前記ワイヤーユニットは、
前記駆動信号の入力を受ける電極線と、
前記電極線の端部に結合され前記電極線を前記ホルダーユニットに固定させるためのプラグと、を含むことを特徴とする請求項１記載のランプアセンブリ。
【請求項６】
前記電極線は、導電性材質からなり前記駆動信号の入力を受ける心線及び絶縁性材質からなり前記心線を覆う被覆からなることを特徴とする請求項５記載のランプアセンブリ。
【請求項７】
前記プラグは、
前記電極線の端部を収納し前記心線と電気的に接続される収納部と、
前記収納部から突出し前記ソケット部と結合され、離隔空間を間に置き互いに向き合う第１及び第２突起からなる突出部と、を含むことを特徴とする請求項６記載のランプアセンブリ。
【請求項８】
前記ホルダー部には前記電極線の端部を収納する第２収納孔が形成され、
前記第２締結凹部は第２収納孔に隣接して前記プラグと結合されることを特徴とする請求項７記載のランプアセンブリ。
【請求項９】
前記突出部には第２キャッチングジョーが形成され、
前記ソケット部は前記第２締結凹部が形成された内側壁から突出され、前記第２キャッチングジョーと噛み合わさって前記プラグが前記ソケット部から離脱することを防止するための第２係止突起を含むことを特徴とする請求項８記載のランプアセンブリ。
【請求項１０】
前記ソケット部は、導電性材質からなることを特徴とする請求項１記載のランプアセンブリ。
【請求項１１】
前記ソケット部は、前記ホルダー部と共に射出成形され前記ホルダー部に内蔵されることを特徴とする請求項１記載のランプアセンブリ。
【請求項１２】
外部から第１駆動信号の入力を受ける第１電極線、及び前記第１電極線の端部に結合され前記第１駆動信号を伝達する第１プラグを含む第１ワイヤーユニットと、
外部から第２駆動信号の入力を受ける第２電極線、及び前記第２電極線の端部に結合され前記第２駆動信号の伝達を受ける第２プラグを含む第２ワイヤーユニットと、
光を発生するランプ本体、及び前記ランプ本体の第１及び第２端部からそれぞれ引き出され前記第１及び第２駆動信号のそれぞれの入力を受ける第１及び第２電極を含むランプユニットと、
前記ランプ本体の第１端部と結合する第１ホルダー部、前記第１電極線の端部と結合し前記第１ホルダー部に一体に形成された第２ホルダー部、及び前記第１ホルダー部に内蔵され、前記第１電極と前記第１プラグとに結合され前記第１電極と前記第１プラグとを電気的に接続させることで第１プラグから前記第１電極へ前記第１駆動信号を伝達する第１ソケット部で構成される第１ホルダーユニットと、
前記ランプ本体の第２端部と結合する第３ホルダー部、前記第２電極線の端部と結合し前記第３ホルダー部と一体に形成された第４ホルダー部、及び前記第３ホルダー部に内蔵され前記第２電極と前記第２プラグとに結合され前記第２電極と前記第２プラグとを電気的に接続させることで第２プラグから前記第２電極へ前記第２駆動信号を伝達する第２ソケット部で構成される第２ホルダーユニットと、
を含むことを特徴とするランプアセンブリ。
【請求項１３】
前記ソケット部は、導電性材質からなることを特徴とする請求項１２記載のランプアセンブリ。
【請求項１４】
外部からの駆動信号に応答して光を発生するランプアセンブリと、
側面を通して前記光の入射を受け前面に出射する導光板と、
前記ランプアセンブリ及び前記導光板を収納する収納部材と、を含み、
前記ランプアセンブリは、
前記第１及び第２駆動信号を出力する第１及び第２ワイヤーユニットと、
光を発生するランプ本体、及び前記ランプ本体の第１及び第２端部からそれぞれ引き出され前記第１及び第２駆動信号の入力を受ける第１及び第２電極を含むランプユニットと、
前記ランプ本体の第１端部と結合する第１ホルダー部、前記第１ワイヤーユニットと結合し前記第１ホルダー部に一体に形成された第２ホルダー部、及び前記第１ホルダー部に内蔵され前記第１電極と前記第１ワイヤーユニットとを電気的に接続させる第１ソケット部で構成される第１ホルダーユニットと、
前記ランプ本体の第２端部と結合する第３ホルダー部、前記第２ワイヤーユニットと結合し前記第３ホルダー部に一体に形成された第４ホルダー部、及び前記第３ホルダー部に内蔵され前記第２電極と前記第２ワイヤーユニットとを電気的に接続させる第２ソケット部で構成される第２ホルダーユニットと、
を含むことを特徴とするバックライト組立体。
【請求項１５】
前記第１ワイヤーユニットは前記第１駆動信号の入力を受ける第１電極線、及び前記第１電極線の端部に結合され前記第１駆動信号の伝達を受ける第１プラグを含み、
前記第２ワイヤーユニットは前記第２駆動信号の入力を受ける第２電極線、及び前記第２電極線の端部に結合され前記第２駆動信号の伝達を受ける第２プラグを含むことを特徴とする請求項１４記載のバックライト組立体。
【請求項１６】
前記第１ソケット部は前記第１電極と前記第１プラグとに結合され、導電性材質からなり前記第１電極と前記第１プラグとを電気的に接続させ、
前記第２ソケット部は前記第２電極と前記第２プラグとに結合され、導電性材質からなり前記第２電極と前記第２プラグとを電気的に接続させることを特徴とする請求項１５記載のバックライト組立体。
【請求項１７】
前記収納部材は、底面、及び前記底面から折曲げられて延長され前記ランプアセンブリと前記導光板とが収納される収納空間を画成する側壁を含むことを特徴とする請求項１５記載のバックライト組立体。
【請求項１８】
前記第１電極線は、前記第２ホルダーユニット側に延ばされ、前記ランプアセンブリと隣接する前記側壁の上端部にはこの延ばされる前記第１電極線を収納するための電極線収納溝が形成されることを特徴とする請求項１７記載のバックライト組立体。
【請求項１９】
光を発生するバックライト組立体と、
前記光を用いて画像を表示する表示パネルと、を含み、
前記バックライト組立体は、
外部からの駆動信号に応答して前記光を発生するランプアセンブリと、
側面を通して前記光の入射を受け前面に出射する導光板と、
前記ランプアセンブリ、及び前記導光板を収納する収納部材と、を含み、
前記ランプアセンブリは、
前記第１及び第２駆動信号を出力する第１及び第２ワイヤーユニットと、
前記光を発生するランプ本体、及び前記ランプ本体の第１及び第２端部からそれぞれ引き出され前記第１及び第２駆動信号の入力を受ける第１及び第２電極を含むランプユニットと、
前記ランプ本体の第１端部と結合する第１ホルダー部、前記第１ワイヤーユニットと結合し前記第１ホルダー部に一体に形成された第２ホルダー部、及び前記第１ホルダー部に内蔵され前記第１電極と前記第１ワイヤーユニットとを電気的に接続させる第１ソケット部で構成される第１ホルダーユニットと、
前記ランプ本体の第２端部と結合する第３ホルダー部、前記第２ワイヤーユニットと結合し前記第３ホルダー部に一体に形成された第４ホルダー部、及び前記第３ホルダー部に内蔵され前記第２電極と前記第２ワイヤーユニットとを電気的に接続させる第２ソケット部で構成される第２ホルダーユニットと、
を含むことを特徴とする表示装置。
【請求項２０】
前記第１ワイヤーユニットは、前記第１駆動信号の入力を受ける第１電極線、及び第１電極線の端部に結合され前記第１駆動信号の伝達を受ける第１プラグを含み、
前記第２ワイヤーユニットは前記第２駆動信号の入力を受ける第２電極線、及び前記第２電極線の端部に結合され前記第２駆動信号の伝達を受ける第２プラグを含むことを特徴とする請求項１９記載の表示装置。
【請求項２１】
前記第１ソケット部は前記第１電極と前記第１プラグとに結合され、導電性材質からなり前記第１電極と前記第１プラグとを電気的に接続させ、
前記第２ソケット部は前記第２電極と前記第２プラグとに結合され、導電性材質からなり前記第２電極と前記第２プラグとを電気的に接続させることを特徴とする請求項２０記載の表示装置。
【請求項２２】
前記収納部材と対向して結合し前記表示パネルを前記収納部材に固定させるトップシャーシをさらに含むことを特徴とする請求項１９記載の表示装置。